(57)【要約】【課題】天板と脚体との間におけるガタツキの発生を抑制し得る組付固定器具、及び、組付構造体を提供する。【解決手段】組付固定器具は、板状部材からなり当該板状部材における一方の平坦な面に対して形成された凹部空間を有する第１の組付体と、柱状部材からなり凹部空間に挿入されて連結される先端部を有する第２の組付体と、第１の組付体に対して第２の組付体を固定する締結具とを備え、第２の組付体は、先端部が第１の組付体に挿入された状態で第１の組付体の雌ネジ部と対向し、かつ、第２の組付体の軸線に対して斜めに形成された締結具の挿通用の貫通孔と、当該貫通孔を第２の組付体の外周面から延長するように突出した突出部とを有し、締結具が第２の組付体の突出部から貫通孔に挿通されて締結具の雄ネジと第１の組付体の雌ネジとが螺合され、かつ、締結具の頭部の座面と突出部とが当接した状態で第１の組付体と前記第２の組付体とが固定される。【選択図】図１
2018128126.tif 000002
【特許請求の範囲】
【請求項１】
板状部材からなり当該板状部材における一方の平坦な面に対して形成された凹部空間を有する第１の組付体と、
柱状部材からなり前記凹部空間に挿入されて連結される先端部を有する第２の組付体と、
前記第１の組付体に対して前記第２の組付体の前記先端部を挿入した連結状態で固定する締結具と
を備え、
前記第１の組付体は、前記凹部空間を形成する内側の面に形成された雌ネジ部を有し、
前記第２の組付体は、前記先端部が前記第１の組付体に挿入された状態で前記雌ネジ部と対向し、かつ、前記第２の組付体の軸線に対して斜めに形成された前記締結具の挿通用の貫通孔と、当該貫通孔を前記第２の組付体の外周面から延長するように突出した突出部とを有し、
前記締結具は、前記第１の組付体における前記雌ネジ部の雌ネジと螺合する雄ネジが設けられた軸部と、前記雄ネジとは反対側の前記軸部の端部に当該軸部の直径よりも大きな幅を有する頭部とを有し、
前記締結具が前記第２の組付体の前記突出部から前記貫通孔に挿通されて前記雄ネジと前記第１の組付体の前記雌ネジとが螺合され、かつ、前記頭部の座面と前記突出部とが当接した状態で前記第１の組付体と前記第２の組付体とが固定される
ことを特徴とする組付固定器具。
【請求項２】
前記第１の組付体は、前記凹部空間における前記内側の面に対し前記第２の組付体の軸線に沿って形成された溝部を有し、
前記第２の組付体は、前記先端部が前記第１の組付体の前記凹部空間に挿入された状態で前記溝部に挿入して係合される突起部を有する
ことを特徴とする請求項１に記載の組付固定器具。
【請求項３】
前記溝部は、テーパー面と鉛直面とを有し、前記凹部空間の底面に向かうに連れて前記テーパー面が前記鉛直面との間で次第に先細るように傾斜され、
前記突起部は、前記溝部に対応して先細るようなテーパー形状に形成され、
前記溝部の前記テーパー面は、前記第１の組付体における前記雌ネジ部の側に配置され、前記溝部の前記鉛直面は、前記第２の組付体における前記突出部の側に配置されている
ことを特徴とする請求項２に記載の組付固定器具。
【請求項４】
前記第２の組付体の前記貫通孔は、前記第２の組付体の軸線の方向に相当する縦方向の長さが、前記第２の組付体の軸線の方向とは垂直な方向に相当する横方向の長さよりも長く形成されている
ことを特徴とする請求項１から３までのいずれか１項に記載の組付固定器具。
【請求項５】
第１の部材と、
前記第１の部材に組み付けられる第２の部材と、
前記第１の部材と前記第２の部材とを組み付けて固定する組付固定器具と
を備え、
前記組付固定器具は、
板状部材からなり当該板状部材における一方の平坦な面に対して形成された凹部空間を有し、前記第１の部材に取り付けられる第１の組付体と、
柱状部材からなり前記凹部空間に挿入されて連結される先端部を有し、前記第２の部材に取り付けられる第２の組付体と、
前記第１の組付体に対して前記第２の組付体の前記先端部を挿入した連結状態で固定する締結具と
を備え、
前記第１の組付体は、前記凹部空間を形成する内側の面に形成された雌ネジ部を有し、
前記第２の組付体は、前記先端部が前記第１の組付体に挿入された状態で前記雌ネジ部と対向し、かつ、前記第２の組付体の軸線に対して斜めに形成された前記締結具の挿通用の貫通孔と、当該貫通孔を前記第２の組付体の外周面から延長するように突出した突出部とを有し、
前記締結具は、前記第１の組付体における前記雌ネジ部の雌ネジと螺合する雄ネジが設けられた軸部と、前記雄ネジとは反対側の前記軸部の端部に当該軸部の直径よりも大きな幅を有する頭部とを有し、
前記締結具が前記第２の組付体の前記突出部から前記貫通孔に挿通されて前記雄ネジと前記第１の組付体の前記雌ネジとが螺合され、かつ、前記頭部の座面と前記突出部とが当接した状態で前記第１の組付体と前記第２の組付体とが固定される
ことを特徴とする組付構造体。
【発明の詳細な説明】
【技術分野】
【０００１】
本発明は、例えば、組付構造体として家具等を組み付ける際に用いられる組付固定器具、及び、この組付固定器具を用いて組み付けられた組付構造体に関する。
【背景技術】
【０００２】
従来、例えばテーブル等の天板付き家具を組み立てる際、天板と脚体とを連結するための取付具が使用されていた。この天板と脚体とを連結する取付具として、脚体に取り付けられた脚体側金具を天板に取り付けられた天板側金具（受け金具及び挟持金具）に対してボルトにより固定するものがあった（例えば特許文献１）。
【先行技術文献】
【特許文献】
【０００３】
【特許文献１】特開２０１１−１１２１２９号公報
【発明の概要】
【発明が解決しようとする課題】
【０００４】
しかしながら、特許文献１に記載された取付具にあっては、脚体側金具を天板側金具（受け金具及び挟持金具）に仮組みした状態で、挟持金具の雌ネジ部にボルトの雄ネジ部を螺合させつつこのボルトの先端を脚体側金具に押し付けることにより、脚体側金具と挟持金具とによって受け金具を挟持し、天板に対する脚体の固定を図っていた。
【０００５】
このように、従来の取付具は、ボルトの先端による押付力のみによって天板に対する脚体の固定を図っていたため、振動や衝撃等によって容易にボルトが緩み易く、ひいては天板と脚体との間にガタツキが生じる要因になっていた。
【０００６】
本発明は、以上の点に鑑みてなされたものであって、天板と脚体との間におけるガタツキの発生を抑制し得る組付固定器具、及び、組付構造体を提供することを目的とする。
【課題を解決するための手段】
【０００７】
上記目的を達成するために、本発明に係る組付固定器具は、板状部材からなり当該板状部材における一方の平坦な面に対して形成された凹部空間を有する第１の組付体と、柱状部材からなり前記凹部空間に挿入されて連結される先端部を有する第２の組付体と、前記第１の組付体に対して前記第２の組付体の前記先端部を挿入した連結状態で固定する締結具とを備え、前記第１の組付体は、前記凹部空間を形成する内側の面に形成された雌ネジ部を有し、前記第２の組付体は、前記先端部が前記第１の組付体に挿入された状態で前記雌ネジ部と対向し、かつ、前記第２の組付体の軸線に対して斜めに形成された前記締結具の挿通用の貫通孔と、当該貫通孔を前記第２の組付体の外周面から延長するように突出した突出部とを有し、前記締結具は、前記第１の組付体における前記雌ネジ部の雌ネジと螺合する雄ネジが設けられた軸部と、前記雄ネジとは反対側の前記軸部の端部に当該軸部の直径よりも大きな幅を有する頭部とを有し、前記締結具が前記第２の組付体の前記突出部から前記貫通孔に挿通されて前記雄ネジと前記第１の組付体の前記雌ネジとが螺合され、かつ、前記頭部の座面と前記突出部とが当接した状態で前記第１の組付体と前記第２の組付体とが固定されることを特徴とする。
【０００８】
本発明の一態様に係る組付固定器具において、前記第１の組付体は、前記凹部空間における前記内側の面に対し前記第２の組付体の軸線に沿って形成された溝部を有し、前記第２の組付体は、前記先端部が前記第１の組付体の前記凹部空間に挿入された状態で前記溝部に挿入して係合される突起部を有する。
【０００９】
本発明の一態様に係る組付固定器具において、前記溝部は、テーパー面と鉛直面とを有し、前記凹部空間の底面に向かうに連れて前記テーパー面が前記鉛直面との間で次第に先細るように傾斜され、前記突起部は、前記溝部に対応して先細るようなテーパー形状に形成され、前記溝部の前記テーパー面は、前記第１の組付体における前記雌ネジ部の側に配置され、前記溝部の前記鉛直面は、前記第２の組付体における前記突出部の側に配置されている。
【００１０】
本発明の一態様に係る組付固定器具において、前記第２の組付体の前記貫通孔は、前記締結具が挿入される方向から見て、縦方向の長さが横方向の長さよりも長く形成されている。
【００１１】
本発明に係る組付構造体は、第１の部材と、前記第１の部材に組み付けられる第２の部材と、前記第１の部材と前記第２の部材とを組み付けて固定する組付固定器具とを備え、前記組付固定器具は、板状部材からなり当該板状部材における一方の平坦な面に対して形成された凹部空間を有し、前記第１の部材に取り付けられる第１の組付体と、柱状部材からなり前記凹部空間に挿入されて連結される先端部を有し、前記第２の部材に取り付けられる第２の組付体と、前記第１の組付体に対して前記第２の組付体の前記先端部を挿入した連結状態で固定する締結具とを備え、前記第１の組付体は、前記凹部空間を形成する内側の面に形成された雌ネジ部を有し、前記第２の組付体は、前記先端部が前記第１の組付体に挿入された状態で前記雌ネジ部と対向し、かつ、前記第２の組付体の軸線に対して斜めに形成された前記締結具の挿通用の貫通孔と、当該貫通孔を前記第２の組付体の外周面から延長するように突出した突出部とを有し、前記締結具は、前記第１の組付体における前記雌ネジ部の雌ネジと螺合する雄ネジが設けられた軸部と、前記雄ネジとは反対側の前記軸部の端部に当該軸部の直径よりも大きな幅を有する頭部とを有し、前記締結具が前記第２の組付体の前記突出部から前記貫通孔に挿通されて前記雄ネジと前記第１の組付体の前記雌ネジとが螺合され、かつ、前記頭部の座面と前記突出部とが当接した状態で前記第１の組付体と前記第２の組付体とが固定されることを特徴とする。
【発明の効果】
【００１２】
本発明に係る組付固定器具、及び、組付構造体によれば、天板と脚体との間におけるガタツキの発生を抑制することができる。
【図面の簡単な説明】
【００１３】
【図１】本発明に係る組付固定器具を用いて組み付けられた組付構造体の構成を示す斜視図である。
【図２】図１の組付構造体の一部を分解した状態において示す部分拡大斜視図である。
【図３】図１の組付構造体の一部を組み付け状態において示す部分拡大斜視図である。
【図４】図１の組付構造体の一部を示す斜視図であって、（ａ）は脚体に脚体側取付金具を取り付けた状態を示す部分拡大斜視図であり、（ｂ）は脚体と脚体側取付金具とを分解した状態において示す部分拡大斜視図である。
【図５】本発明に係る組付固定具の構成を示す分解斜視図である。
【図６】本発明に係る組付固定具の天板側取付金具を示す図であって、（ａ）は底面図であり、（ｂ）は（ａ）に示すＡ−Ａ断面で見た断面図である。
【図７】本発明に係る組付固定具の脚体側取付金具を示す図であって、（ａ）は正面図であり、（ｂ）は（ａ）に示すＣ−Ｃ断面で見た断面図であり、（ｃ）は側面図である。
【図８】本発明に係る組付固定具の締結具を示す正面図である。
【図９】本発明に係る組付構造体の一部を示す断面図であって、基準寸法通りに加工された天板及び脚体の連結状態を示すものである。
【図１０】図９に示す矢印Ｅ方向から見た、本発明に係る組付固定具の投影図である。
【図１１】本発明に係る組付構造体の一部を示す断面図であって、基準寸法からマイナス側の最大の寸法公差によって加工された天板及び脚体の連結状態を示すものである。
【図１２】図１１に示す矢印Ｆ方向から見た、本発明に係る組付固定具の投影図である。
【図１３】本発明に係る組付構造体の一部を示す断面図であって、基準寸法からプラス側の最大の寸法公差によって加工された天板及び脚体の連結状態を示すものである。
【図１４】図１３に示す矢印Ｇ方向から見た、本発明に係る組付固定具の投影図である。
【図１５】本発明に係る組付固定具において天板側取付金具に脚体側取付金具が挿入された状態を示す図であり、天板側取付金具を断面図により示し、脚体側取付金具を投影図により示したものである。
【発明を実施するための形態】
【００１４】
以下、本発明の実施形態について図面を参照しながら詳細に説明する。
【００１５】
以下、便宜上、図１に示す座標軸に基づいて、矢印で示されたＸ軸正方向を左方向、矢印で示されたＹ軸正方向を後方向、矢印で示されたＺ軸正方向を下方向と規定したうえで説明する。したがって、Ｘ軸負方向は右方向、Ｙ軸負方向は前方向、Ｚ軸負方向は上方向とする。
【００１６】
＜天板付き家具の全体構成＞
図１に示すように、本発明に係る組付構造体としての天板付き家具１は、第１の部材としての天板２０と、天板２０に組み付けられる第２の部材としての４本の脚体３０と、天板２０と脚体３０とを組み付けて固定する組付固定器具としての取付金具４０とを備えている。
【００１７】
天板２０は、左方向（Ｘ軸正方向）及び後方向（Ｙ軸正方向）の平面内に延びる矩形又は略矩形の板状部材であり、上方向（Ｚ軸負方向）を向く平坦な天板載置面２１と下方向（Ｚ軸正方向）を向く平坦な天板裏面２２とを有している。天板２０は、天板裏面２２において、４つの角隅部２３を有している。
【００１８】
脚体３０は、下方向（Ｚ軸正方向）に延びる角柱状又は略角柱状の柱状部材であり、上方向（Ｚ軸負方向）の端部には平坦な取付端面３０ａを有している。なお、脚体３０は、円柱状、多角柱状等の他の断面形状を有する柱状部材であってもよい。
【００１９】
脚体３０は、当該脚体３０の取付端面３０ａと天板２０の天板裏面２２とが当接するように、天板２０における４つの角隅部２３に対してそれぞれ配置され、取付金具４０によって天板２０に固定される。なお、取付金具４０の構成、及び、天板２０と脚体３０との固定方法については後述する。
【００２０】
＜天板および脚体の構成＞
以下、図１に示す右方向（Ｘ軸負方向）且つ前方向（Ｙ軸負方向）に位置する脚体３０と、この脚体３０が取り付けられる天板裏面２２の部分に着目して説明する。
【００２１】
図２および図３に示すように、天板２０は、天板裏面２２から上方向（Ｚ軸負方向）に凹んだ位置で当該天板裏面２２と平行な円環状の段差面２４と、当該段差面２４から更に上方向（Ｚ軸負方向）に凹んだ位置において天板裏面２２および段差面２４と平行な円形状の天井面２５とを有している。
【００２２】
すなわち、天板２０は、天板裏面２２の角隅部２３において、天板裏面２２から段差面２４まで上方向（Ｚ軸負方向）に延びる円筒状又は略円筒状の下側収容空間２６と、段差面２４から天井面２５まで上方向（Ｚ軸負方向）に延びる円筒状又は略円筒状の上側収容空間２７とからなる収容空間２８を有している。
【００２３】
この収容空間２８における下側収容空間２６の内径は、上側収容空間２７の内径よりも大きい。天板２０の段差面２４には、後述する天板側取付金具５０を収容空間２８に収容した状態でビスにより固定するためのビス用孔２９が複数設けられている。なお、天板２０の段差面２４にビス用孔２９が設けられていなくてもよく、この場合、天板側取付金具５０は、タッピングネジ等により天板２０に固定可能である。
【００２４】
図２乃至図４に示すように、脚体３０は、角柱状のテーブル脚であり、上方向（Ｚ軸負方向）の一端部において、後述する脚体側取付金具６０が保持された状態で固定するための有底保持孔３１と、後述するボルト７０が脚体側取付金具６０の貫通孔６４に挿通されるように導く通路となる導入溝３２と、脚体側取付金具６０の固定用貫通孔６３ｂに対してピン８０を挿入するための挿入孔３３とを有している。
【００２５】
脚体３０は、導入溝３２を介してボルト７０を脚体側取付金具６０の貫通孔６４の傾斜に沿って直線状に挿通させるための平坦な傾斜面３２ａを有する。なお、脚体３０の挿入孔３３は、当該脚体３０の側面３４において導入溝３２よりも下方向（Ｚ軸正方向）の位置に形成され、脚体３０の内部において、有底保持孔３１を貫通し、更に所定の深さまで延びている。
【００２６】
＜取付金具の構成＞
図２および図３に示すように、取付金具４０は、第１の組付体としての天板側取付金具５０と、第２の組付体としての脚体側取付金具６０と、天板側取付金具５０に対して脚体側取付金具６０を固定する締結具としてのボルト７０と、脚体３０に対して脚体側取付金具６０を固定するピン８０とを備えている。
【００２７】
＜天板側取付金具の構成＞
図５および図６に示すように、天板側取付金具５０は、板状部材としての本体部５１と、凸部５４とを備え、本体部５１および凸部５４が一体化されている。本体部５１は、天板２０の下側収容空間２６の形状および大きさに対応した円盤状または円筒状の形状を有している。凸部５４は、本体部５１から上方向（Ｚ軸負方向）に突出し、天板２０の上側収容空間２７の形状および大きさに対応した円筒状又は略円筒状の形状を有している。
【００２８】
本体部５１は、当該本体部５１における一方の平坦な面である装着面５３に対して形成された凹部空間５２を有する。本体部５１は、当該本体部５１の軸線に沿った方向（Ｚ軸方向）に貫通し、天板２０の段差面２４に設けられた複数のビス用孔２９と対応して配置された複数のビス用貫通孔５５を有している。
【００２９】
天板側取付金具５０は、凹部空間５２を画成する内側の面５１ｉに設けられた雌ネジ部５６を有している。雌ネジ部５６は、後述する脚体側取付金具６０の突出部６５に形成された貫通孔６４の傾斜角度と同一の傾斜角度となるように当該雌ネジ部５６の端面５６ａに貫通孔が設けられ、その貫通孔の内周面に雌ネジ５６ｍが形成されている。
【００３０】
天板側取付金具５０は、凹部空間５２内において、本体部５１の装着面５３から上方向（Ｚ軸負方向）に凹んだ位置で当該装着面５３と平行な段差面５２ａを有している。本体部５１の段差面５２ａは、脚体側取付金具６０の鍔部６７の形状に対応し、かつ、装着面５３から段差面５２ａまでの深さは鍔部６７の厚さよりも僅かに大きい。
【００３１】
また、天板側取付金具５０は、本体部５１の装着面５３から上方向（Ｚ軸負方向）に傾斜した状態で凹んだ傾斜段差面５２ｃを有している。本体部５１の傾斜段差面５２ｃは、脚体側取付金具６０の突出部６５に形成された貫通孔６４の傾斜角度と同様に傾斜されており、天板側取付金具５０の凹部空間５２に脚体側取付金具６０の先端部６２が挿入された際、突出部６５が傾斜段差面５２ｃと干渉しないように、突出部６５との間に僅かな隙間を介して平行に配置される。その際、突出部６５の一部分が凹部空間５２に収容されるが、貫通孔６４は凹部空間５２から露出される。
【００３２】
また、天板側取付金具５０は、凹部空間５２を画成する内側の面５１ｉに対し、本体部５１の軸線（Ｚ軸線）および後述する脚体側取付金具６０の脚体固定部６３の軸線（Ｚ軸線）に沿って形成された溝部５７を有している。この溝部５７は、凹部空間５２における内側の面５１ｉにおいて、雌ネジ部５６とは異なる部分であって、互いに対向する位置に２つ設けられている。なお、溝部５７は、凹部空間５２の内側の面５１ｉにおいて、雌ネジ部５６とは異なる部分に１つだけ設けられていてもよい。
【００３３】
また、天板側取付金具５０の溝部５７は、後述する脚体側取付金具６０の突起部６６に対応した形状を有している。溝部５７は、図６（ｃ）に示すように、段差面５２ａから底面５２ｂに向かうに連れて次第に先細るように傾斜されたテーパー面５７ａと、当該テーパー面５７ａに対向配置され、段差面５２ａから底面５２ｂに向かって垂直に延びる鉛直面５７ｂとを有している。溝部５７のテーパー面５７ａは、天板側取付金具５０における雌ネジ部５６の側に配置され、溝部５７の鉛直面５７ｂは、脚体側取付金具６０における突出部６５の側に配置されている。
【００３４】
また、溝部５７においては、図６（ａ）に示すように、当該溝部５７の開口とは反対側となるテーパー面５７ａの内側の端縁に対して、当該天板側取付金具５０の軸線方向に沿ってＲ面状に面取りされたＲ面部５７ｃが形成されている。なお、Ｒ面部５７ｃは、溝部５７のテーパー面５７ａだけではなく、溝部５７の鉛直面５７ｂの内側の端縁に対して形成されていてもよい。
【００３５】
＜脚体側取付金具の構成＞
図５に示すように、柱状部材からなる脚体側取付金具６０は、互いに一体に形成された脚体固定部６３および先端部６２を備えている。脚体固定部６３は、脚体３０の有底保持孔３１（図４）に挿入されて当該脚体３０と一体に固定される部分であり、先端部６２は天板側取付金具５０の凹部空間５２に収容されて当該天板側取付金具５０と一体に固定される部分である。
【００３６】
図５および図７に示すように、脚体固定部６３は、Ｚ軸線に対して斜め下向きに形成された突出部６５を備えている。また、脚体固定部６３は、当該突出部６５とは反対側となる当該脚体固定部６３の端部に形成された固定用貫通孔６３ｂを有している。突出部６５は、長円形状の貫通孔６４を有し、この貫通孔６４はボルト７０の挿通用である。なお、固定用貫通孔６３ｂはピン８０の挿通用である。
【００３７】
突出部６５は、脚体固定部６３および先端部６２の双方に跨がった状態で当該脚体固定部６３および先端部６２の外周面から斜めに突出した状態で設けられている。突出部６５の貫通孔６４は、ボルト７０の軸部７２が貫通孔６４の内周面に対して遊びを持って挿通されるように、当該軸部７２の直径よりも大きな幅の長円形状に形成されている。すなわち、脚体側取付金具６０の軸線に対して斜め下向きに形成された長円形状の貫通孔６４は、脚体側取付金具６０の軸線の方向に相当する縦方向の長さが、脚体側取付金具６０の軸線の方向とは垂直な方向に相当する横方向の長さよりも長く形成されている。
【００３８】
また、突出部６５の貫通孔６４の傾斜角度と雌ネジ部５６の雌ネジ５６ｍが形成された貫通孔の傾斜角度とは一致している。したがって、脚体側取付金具６０の先端部６２が天板側取付金具５０の凹部空間５２に挿入されたとき、突出部６５の貫通孔６４と雌ネジ部５６の雌ネジ５６ｍが形成された貫通孔とが対向配置され、直線状に連通されることになる。
【００３９】
脚体固定部６３の固定用貫通孔６３ｂとは反対側となる当該脚体固定部６３の端部には、上下方向（Ｚ軸方向）に沿って一定範囲に形成された凹凸部６３ａが設けられている。凹凸部６３ａは、脚体固定部６３が脚体３０の有底保持孔３１に収容されてピン８０により固定された場合、当該凹凸部６３ａが木材からなる脚体３０の有底保持孔３１の内周面に対して圧入されることにより、当該凹凸部６３ａが有底保持孔３１の内周面と引っ掛かって噛み合い、脚体固定部６３を脚体３０に対してガタツキ無く固定する機能部である。
【００４０】
図７に示すように、脚体側取付金具６０の先端部６２は、全体的に略円柱状に形成された部分であるが、突出部６５が設けられていない側において約４５度の角度で切断されており、貫通孔６４の軸線とは直交する切断面６２ａを有している。すなわち、脚体側取付金具６０の先端部６２が天板側取付金具５０の凹部空間５２に挿入されたとき、天板側取付金具５０の雌ネジ部５６の端面５６ａ、脚体側取付金具６０の先端部６２の切断面６２ａ、及び、脚体側取付金具６０の突出部６５の端面６５ａは互いに平行に配置される。
【００４１】
脚体側取付金具６０の先端部６２は、脚体固定部６３の凹凸部６３ａと隣接した位置に、凹凸部６３ａの外周面から外方へ突出する２つの板状の鍔部６７を有している。鍔部６７は、脚体側取付金具６０の先端部６２が天板側取付金具５０の凹部空間５２に挿入されたとき、天板側取付金具５０の段差面５２ａと一定の間隔を有して対向配置される部分であり、当該段差面５２ａの形状に対応し、かつ、天板側取付金具５０の装着面５３から段差面５２ａまでの深さよりも僅かに薄い厚さを有している。このため、天板２０及び脚体３０にＺ軸線方向での加工上の寸法誤差が生じた場合であっても、この誤差を吸収することができ、ひいては天板２０に脚体３０をガタツキ無く取り付けることができる。
【００４２】
さらに脚体側取付金具６０は、先端部６２が天板側取付金具５０の凹部空間５２に挿入された際、本体部５１の溝部５７に挿入して係合される突起部６６を有する。この突起部６６は、先端部６２の外周面において、当該先端部６２の下方向（Ｚ軸正方向）の端部から上方向（Ｚ軸負方向）の端部にまで延びている。
【００４３】
突起部６６は、本体部５１の溝部５７の形状に対応して形成されており、図７（ｄ）に示すように、鍔部６７から離れる方向に先細る傾斜面６６ａと、当該傾斜面６６ａに背向するように配置され、鍔部６７から離れる方向へ垂直に延びる鉛直面６６ｂとを有している。
【００４４】
また、突起部６６は、溝部５７のＲ面部５７ｃに対応した図示しない湾曲部を有している。突起部６６の湾曲部は、溝部５７のＲ面部５７ｃよりも僅かに大きな曲率半径を有している。よって、突起部６６を溝部５７に挿入して係合するとき、突起部６６の湾曲部を溝部５７のＲ面部５７ｃに対して圧入させることができ、天板側取付金具５０及び脚体側取付金具６０をガタツキ無く固定することができる。
【００４５】
＜ボルト及びピンの構成＞
図５及び図８に示すように、ボルト７０は、天板側取付金具５０の凹部空間５２に脚体側取付金具６０の先端部６２を挿入した挿入状態で、天板側取付金具５０に対して脚体側取付金具６０を固定する締結具である。
【００４６】
ボルト７０は、天板側取付金具５０における雌ネジ部５６の雌ネジ５６ｍと螺合する雄ネジ７１が設けられた軸部７２と、雄ネジ７１とは反対側の軸部７２の端部に当該軸部７２の直径よりも大きな直径を有する頭部７３とを有している。また、ボルト７０の頭部７３は、当該ボルト７０が脚体側取付金具６０の貫通孔６４に挿通された状態において、突出部６５の端面６５ａと当接される平坦な座面７４を有する。
【００４７】
図２及び図５に示すように、ピン８０は、円筒状に延びる胴部８１と、当該胴部８１において一方の端部から円錐状に先細る円錐先端部８２とを有する。ピン８０の胴部８１は、脚体３０の挿入孔３３よりも僅かに小さな直径を有する。また、ピン８０の胴部８１は、脚体側取付金具６０の固定用貫通孔６３ｂと同一又は略同一の直径を有している。
【００４８】
＜作用及び効果＞
図９および図１０に示すように、天板２０の天板裏面２２と段差面２４との間の距離ｔ２、及び、脚体３０の挿入孔３３の軸線（Ｘ軸線）と脚体３０の取付端面３０ａとの間の距離ｔ１が基準寸法通りに加工されていた場合、ボルト７０は、その軸部７２の全周に亘り、脚体側取付金具６０の貫通孔６４の内周面に対して均等又は略均等な間隔を有して当該貫通孔６４に挿通される。
【００４９】
その後、ボルト７０の軸部７２の雄ネジ７１と、天板側取付金具５０の雌ネジ部５６の雌ネジ５６ｍとが螺合されると、頭部７３の座面７４と脚体側取付金具６０の突出部６５の端面６５ａとが面接触されることになる。
【００５０】
このように、取付金具４０は、ボルト７０の雄ネジ７１と雌ネジ部５６の雌ネジ５６ｍとが螺合し、かつ、ボルト７０の座面７４と突出部６５の端面６５ａとの間に生じる摩擦力により、天板側取付金具５０に対して脚体側取付金具６０を強固に固定している。このため、天板２０や脚体３０に振動や衝撃等が加えられた場合であっても、ボルト７０が緩み難く、天板２０と脚体３０との間におけるガタツキの発生を抑制することができる。
【００５１】
図１１および図１２に示すように、天板２０の天板裏面２２と段差面２４との間の距離ｔ２、及び、脚体３０の挿入孔３３の軸線（Ｘ軸線）と脚体３０の取付端面３０ａとの間の距離ｔ１が基準寸法よりも小さく加工されていた場合、ボルト７０は、その軸部７２の外周面のうち脚体３０側の部分が脚体側取付金具６０の貫通孔６４の内周面に接触し、かつ、その軸部７２の外周面のうち天板２０側の部分が貫通孔６４の内周面に対して間隔を有した状態で当該貫通孔６４に挿通される。
【００５２】
図１３および図１４に示すように、天板２０の天板裏面２２と段差面２４との間の距離ｔ２、及び、脚体３０の挿入孔３３の軸線（Ｘ軸線）と脚体３０の取付端面３０ａとの間の距離ｔ１が基準寸法よりも大きく加工されていた場合、ボルト７０は、その軸部７２の外周面のうち脚体３０側の部分が脚体側取付金具６０の貫通孔６４の内周面に対して間隔を有し、その軸部７２の外周面のうち天板２０側の部分が貫通孔６４の内周面に接触した状態で当該貫通孔６４に挿通される。
【００５３】
このように取付金具４０は、天板２０及び脚体３０に対する距離ｔ１、ｔ２で示される加工上の寸法誤差が生じていた場合であっても、ボルト７０の軸部７２の雄ネジ７１と天板側取付金具５０の雌ネジ部５６の雌ネジ５６ｍとが螺合し、且つ、頭部７３の座面７４と脚体側取付金具６０の突出部６５の端面６５ａとが確実に面接触することになる。このため、取付金具４０は、天板２０及び脚体３０の加工上の寸法誤差を許容することができる。
【００５４】
さらに、図１５に示すように、ボルト７０により天板側取付金具５０と脚体側取付金具６０とが固定されたとき、ボルト７０の頭部７３の座面７４が脚体側取付金具６０の突出部６５の端面６５ａを押圧すると、当該脚体側取付金具６０が、その押圧力の方向（図１５の矢印Ｐ）に沿って移動することなく、溝部５７のテーパー面５７ａにより矢印ｆの方向すなわち鉛直面５７ｂ側へ押し付けられる。
【００５５】
このため、取付金具４０は、ボルト７０の頭部７３の座面７４による押圧力に対する脚体側取付金具６０の突出部６５の端面６５ａにおける反力に加え、脚体側取付金具６０が溝部５７の鉛直面５７ｂ側へ押し付けられる際の力成分の一部が寄与される。
【００５６】
かくして、ボルト７０の頭部７３の座面７４と脚体側取付金具６０の突出部６５の端面６５ａとの間の摩擦力を一段と強固なものとすることができ、天板２０および脚体３０に対して振動や衝撃等が加えられた場合であってもボルト７０が緩み難く、天板２０と脚体３０との間におけるガタツキの発生を抑制することができる。
【００５７】
さらに、ボルト７０の頭部７３の座面７４が脚体側取付金具６０の突出部６５の端面６５ａを押圧すると、脚体側取付金具５０の全体が溝部５７のテーパー面５７ａに倣って上方向（Ｚ軸負方向）に移動する（図１５）。このため、天板２０の天板裏面２２と脚体３０の取付端面３０ａとの間の摩擦力を一段と強固なものとすることができ（図９）、天板２０および脚体３０に対して振動や衝撃等が加えられた場合であっても、天板２０と脚体３０との間におけるガタツキの発生を抑制することができる。
【００５８】
このように、取付金具４０は、ボルト７０の雄ネジ７１と雌ネジ部５６の雌ネジ５６ｍとが螺合する部分と、ボルト７０の座面７４と突出部６５の端面６５ａとが摩擦接触する部分と、脚体側取付金具６０が鉛直面５７ｂ側へ押し付けられる部分との３点で支持することにより、天板側取付金具５０に対して脚体側取付金具６０を従来に比して一段と強固に固定している。このため、天板２０や脚体３０に振動や衝撃等が加えられた場合であっても、ボルト７０が緩み難く、天板２０と脚体３０との間におけるガタツキの発生を抑制することができる。
【００５９】
また、突起部６６が傾斜面６６ａ、鉛直面６６ｂを有し、溝部５７がテーパー面５７ａ、鉛直面５７ｂを有しているため、突起部６６の傾斜面６６ａと溝部５７のテーパー面５７ａとが対向して配置される場合にのみ突起部６６を溝部５７内に挿入することができる。よって、突起部６６及び溝部５７は、天板側取付金具５０及び脚体側取付金具６０の正しい位置決めを確保し、ひいては誤組み付けを防止する機能を果たすとともに、天板側取付金具５０及び脚体側取付金具６０を回転方向において回転規制する機能を果たす。
【００６０】
以上、本発明の実施形態について説明したが、本発明は上記の実施形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置等は、本発明の具体的使用態様によって適宜変更され得る。
【００６１】
また、本実施の形態に係る取付金具４０は、天板付き家具１に適用されるものとしたが、本発明に係る取付金具４０の適用対象はこれらに限られるものではなく、例えば脚体同士を連結する場合などに適用されるものであってもよく、本発明の奏する効果を利用し得るすべての構成に対して、本発明は適用可能である。
【符号の説明】
【００６２】
１  天板付き家具
２０  天板
２１  天板載置面
２２  天板裏面
２３  角隅部
２４、５２ａ  段差面
２５  天井面
２６  下側収容空間
２７  上側収容空間
２８  収容空間
２９  ビス用孔
３０  脚体
３０ａ  取付端面
３１  有底保持孔
３２  導入溝
３２ａ、６６ａ  傾斜面
３３  挿入孔
３４  側面
４０  取付金具
５０  天板側取付金具
５１  本体部
５１ｉ  内側の面
５２  凹部空間
５２ｂ  底面
５２ｃ  傾斜段差面
５３  装着面
５４  凸部
５５  ビス用貫通孔
５６  雌ネジ部
５６ａ、６５ａ  端面
５６ｍ  雌ネジ
５７  溝部
５７ａ  テーパー面
５７ｂ、６６ｂ  鉛直面
５７ｃ  Ｒ面部
６０  脚体側取付金具
６２  先端部
６２ａ  切断面
６３  脚体固定部
６３ａ  凹凸部
６３ｂ  固定用貫通孔
６４  貫通孔
６５  突出部
６６  突起部
６７  鍔部
７０  ボルト
７１  雄ネジ
７２  軸部
７３  頭部
７４  座面
８０  ピン
８１  胴部
８２  円錐先端部
【図１】
2018128126.tif 000003
【図２】
2018128126.tif 000004
【図３】
2018128126.tif 000005
【図４】
2018128126.tif 000006
【図５】
2018128126.tif 000007
【図６】
2018128126.tif 000008
【図７】
2018128126.tif 000009
【図８】
2018128126.tif 000010
【図９】
2018128126.tif 000011
【図１０】
2018128126.tif 000012
【図１１】
2018128126.tif 000013
【図１２】
2018128126.tif 000014
【図１３】
2018128126.tif 000015
【図１４】
2018128126.tif 000016
【図１５】
2018128126.tif 000017